(57)【要約】【課題】コストアップや光学特性に悪影響を及ぼすことなくレンズをハウジングに安定的且つ確実に接着固定することができる光走査装置を提供すること。【解決手段】ハウジング２５に、少なくとも光源と、該光源から出射される光ビームを偏向する偏向器と、該偏向器によって偏向された光ビームを等速走査光に変換する結像レンズ３を収容し、前記結像レンズ３３の主走査方向両端部を前記ハウジング２５のレンズ支持部２５Ｃによって支持するとともに、該結像レンズ３３の主走査方向両端部と前記レンズ支持部２５Ｃとを接着剤５０によって接着することによって結像レンズ３３をハウジング２５のレンズ支持部２５Ｃに固定して成る光走査装置において、前記結像レンズ３３の主走査方向両端部の接着面３３ａに複数の凹部３３ｂを主走査方向に沿って形成する。【選択図】図５
2012083406.tif 000002
【特許請求の範囲】
【請求項１】
ハウジングに、少なくとも光源と、該光源から出射される光ビームを偏向する偏向器と、該偏向器によって偏向された光ビームを等速走査光に変換するレンズを収容し、前記レンズの主走査方向両端部を前記ハウジングのレンズ支持部によって支持するとともに、該レンズの主走査方向両端部と前記レンズ支持部とを接着剤によって接着することによってレンズをハウジングのレンズ支持部に固定して成る光走査装置において、
前記レンズの主走査方向両端部の接着面に複数の凹部を主走査方向に沿って形成したことを特徴とする光走査装置。
【請求項２】
ハウジングに、少なくとも光源と、該光源から出射される光ビームを偏向する偏向器と、該偏向器によって偏向された光ビームを等速走査光に変換するレンズを収容し、前記レンズの主走査方向両端部を前記ハウジングのレンズ支持部によって支持するとともに、該レンズの主走査方向両端部の接着面と前記レンズ支持部とを接着剤によって接着することによってレンズをハウジングのレンズ支持部に固定して成る光走査装置において、
前記ハウジングのレンズ支持部に複数の非接着部を設けたことを特徴とする光走査装置。
【請求項３】
ハウジングに、少なくとも光源と、該光源から出射される光ビームを偏向する偏向器と、該偏向器によって偏向された光ビームを等速走査光に変換するレンズを収容し、前記レンズの主走査方向両端部を前記ハウジングのレンズ支持部によって支持するとともに、該レンズの主走査方向両端部と前記レンズ支持部とを接着剤によって接着することによってレンズをハウジングのレンズ支持部に固定して成る光走査装置において、
前記レンズの主走査方向両端部の接着面に複数の凹部を主走査方向に沿って形成するとともに、前記ハウジングのレンズ支持部に複数の非接着部を設けたことを特徴とする光走査装置。
【請求項４】
請求項１〜３の何れかに記載の光走査装置を備えることを特徴とする画像形成装置。
【発明の詳細な説明】
【技術分野】
【０００１】
本発明は、感光体を光走査するための光走査装置とこれを備えた複写機やプリンタ等の画像形成装置に関するものである。
【背景技術】
【０００２】
複写機やプリンタ等の画像形成装置においては、帯電器によって表面が一様に帯電された感光体が光走査装置によって光走査され、その表面に画像情報に応じた静電潜像が形成される。そして、静電潜像は現像装置によって現像剤であるトナーを用いて現像されてトナー像として顕像化され、このトナー像は、転写装置によって用紙上に転写された後に定着装置によって加熱及び加圧されて用紙上に定着され、トナー像が定着された用紙が装置外へ排出されることによって一連の画像形成動作が終了する。
【０００３】
ところで、感光体を光走査してその表面に静電潜像を形成する光走査装置は、光源と、該光源から出射される光ビームを偏向する偏向器と、該偏向器によって偏向された光ビームを等速走査光に変換する結像レンズ（ｆθレンズ）と、等速走査光を折り返して感光体に導く折り返しミラー等をハウジング内に収容して構成されている。
【０００４】
斯かる光走査装置に設けられる結像レンズは、所定の走査幅をカバーするために一般には主走査方向に長い形状を有しており、そのハウジングへの固定構造には、板バネによって結像レンズを基準面に押し付ける構成のものがあるが、この構造では構成部材が増え、その部材を量産するための金型が必要になる等のためにコストアップを招くという問題がある。
【０００５】
そこで、結像レンズを板バネを用いないで接着剤によってハウジングに固定する方法が特許文献１において提案されている。この特許文献１において提案された固定構造は、レンズの接着面と取付台の支持基準面とが離間していると、レンズを取付台に固定する接着剤が硬化して収縮する場合に支持基準面か取付台方向に変位する点に着目し、この支持基準面の変位を防ぐために、図８の断面図に示すように、取付台１０１に、レンズ１０２を支持する支持基準点Ｐを有する突起１０３ａが上面に形成された支持柱１０３を設け、レンズ１０２と支持基準点Ｐとを当接させて突起１０３ａの表面と支持柱１０３の上面及び支持柱１０３の上面とレンズ１０２の支持基準点Ｐとの当接部の周辺部とを接着剤１０４接着したものである。この固定構造によれば、接着剤１０４の収縮によって発生するレンズ１０２の取付方向（図８の下方）への変位が低減されてレンズ１０２の取付精度が高められ、レンズ１０２に所望の光学特性が確保される。
【先行技術文献】
【特許文献】
【０００６】
【特許文献１】特開平７−１７５０００号公報
【発明の概要】
【発明が解決しようとする課題】
【０００７】
しかしながら、特許文献１において提案された固定構造では、レンズ１０２の姿勢変化のみに着目しており、レンズ１０２と取付台１０１との線膨張係数による繰り返し熱応力の影響は考慮されていない。この繰り返し熱応力は、環境温度が接着時温度から変化した場合にレンズとハウジングのレンズ支持部との接着部に剪断力を発生させ、この剪断力が接着部に繰り返し加えられると接着部が破断してレンズがレンズ支持部から剥れてしまうという問題が発生する。
【０００８】
本発明は上記問題に鑑みてなされたもので、その目的とする処は、コストアップや光学特性に悪影響を及ぼすことなくレンズをハウジングに安定的且つ確実に接着固定することができる光走査装置及びこれを備えた画像形成装置を提供することにある。
【課題を解決するための手段】
【０００９】
上記目的を達成するため、請求項１記載の発明は、ハウジングに、少なくとも光源と、該光源から出射される光ビームを偏向する偏向器と、該偏向器によって偏向された光ビームを等速走査光に変換するレンズを収容し、前記レンズの主走査方向両端部を前記ハウジングのレンズ支持部によって支持するとともに、該レンズの主走査方向両端部と前記レンズ支持部とを接着剤によって接着することによってレンズをハウジングのレンズ支持部に固定して成る光走査装置において、前記レンズの主走査方向両端部の接着面に複数の凹部を主走査方向に沿って形成したことを特徴とする。
【００１０】
請求項２記載の発明は、ハウジングに、少なくとも光源と、該光源から出射される光ビームを偏向する偏向器と、該偏向器によって偏向された光ビームを等速走査光に変換するレンズを収容し、前記レンズの主走査方向両端部を前記ハウジングのレンズ支持部によって支持するとともに、該レンズの主走査方向両端部の接着面と前記レンズ支持部とを接着剤によって接着することによってレンズをハウジングのレンズ支持部に固定して成る光走査装置において、前記ハウジングのレンズ支持部に複数の非接着部を設けたことを特徴とする。
【００１１】
請求項３記載の発明は、ハウジングに、少なくとも光源と、該光源から出射される光ビームを偏向する偏向器と、該偏向器によって偏向された光ビームを等速走査光に変換するレンズを収容し、前記レンズの主走査方向両端部を前記ハウジングのレンズ支持部によって支持するとともに、該レンズの主走査方向両端部と前記レンズ支持部とを接着剤によって接着することによってレンズをハウジングのレンズ支持部に固定して成る光走査装置において、前記レンズの主走査方向両端部の接着面に複数の凹部を主走査方向に沿って形成するとともに、前記ハウジングのレンズ支持部に複数の非接着部を設けたことを特徴とする。
【００１２】
請求項４記載の画像形成装置は、請求項１〜３の何れかに記載の光走査装置を備えることを特徴とする。
【発明の効果】
【００１３】
請求項１記載の発明によれば、レンズの主走査方向両端部の接着面に複数の凹部を主走査方向に沿って形成したため、レンズの接着距離が離れることによって剪断応力の低減が図られるとともに、レンズの接着面の接着面積が凹部によって拡大し、レンズの主走査方向両端部がハウジングのレンズ支持部に強固に接着固定される。このため、接着部に繰り返し熱応力による剪断力が作用しても、レンズをハウジングのレンズ支持部に安定的且つ確実に固定することができる。又、レンズの固定に板バネ等の部材を使用しないため、部品点数が削減されてコストダウンが図られるとともに、レンズに歪み等が発生しないため、該レンズに高い光学特性が確保される。
【００１４】
請求項２記載の発明によれば、ハウジングのレンズ支持部に複数の非接着部を設けたため、レンズ支持部の被接着部にはレンズの接着面側に発生する剪断力に対する反力が発生せず、接着部の剪断力が低減する。このため、レンズとハウジングの線膨張係数差に起因して接着部に繰り返し熱応力が発生しても、レンズがハウジングのレンズ支持部に安定的且つ確実に固定され、該レンズの剥がれが防がれる。又、本発明においても、レンズの固定に板バネ等の部材を使用しないため、部品点数が削減されてコストダウンが図られるとともに、レンズに歪み等が発生しないため、該レンズに高い光学特性が確保される。尚、ハウジングのレンズ支持部に複数の非接着部を設けると、該レンズ支持部の接着面積が減少するが、ハウジングの材質には被着性の高いポリカＡＢＳ等が使用されるため、レンズのレンズ支持部への接着強度が不足することはない。
【００１５】
請求項３記載の発明によれば、レンズの主走査方向両端部の接着面に複数の凹部を主走査方向に沿って形成するとともに、ハウジングのレンズ支持部に複数の非接着部を設けたため、レンズの接着面の接着面積が凹部によって拡大してレンズの接着強度が高められるとともに、ハウジングのレンズ支持部に形成された複数の非接着部のために接着部の剪断力が低減するため、レンズとハウジングの線膨張係数差に起因して接着部に繰り返し熱応力が発生しても、レンズがハウジングのレンズ支持部に安定的且つ確実に固定され、該レンズの剥がれが防がれる。そして、本発明においても、レンズの固定に板バネ等の部材を使用しないため、部品点数が削減されてコストダウンが図られるとともに、レンズに歪み等が発生しないため、該レンズに高い光学特性が確保される。
【００１６】
請求項４記載の発明によれば、光走査装置のレンズの接着固定が確実になされ、該レンズに高い光学特性ガ確保されるため、高質な画像を安定的に得ることができる。
【図面の簡単な説明】
【００１７】
【図１】本発明に係る画像形成装置（カラーレーザープリンタ）の側断面図である。
【図２】第１発明に係る光走査装置の内部構造を示す平面図である。
【図３】図２のＡ−Ａ線断面図である。
【図４】図２のＢ部拡大詳細図である。
【図５】図４のＣ−Ｃ線断面図。
【図６】第２発明に係る光走査装置のレンズ固定構造を示す図５と同様の図である。
【図７】第３発明に係る光走査装置のレンズ固定構造を示す図５と同様の図である。
【図８】従来のレンズ固定構造を示す断面図である。
【発明を実施するための形態】
【００１８】
以下に本発明の実施の形態を添付図面に基づいて説明する。
【００１９】
［画像形成装置］
図１は本発明に係る画像形成装置の一形態としてのカラーレーザープリンタの断面図であり、図示のカラーレーザープリンタはタンデム型であって、その本体１００内の中央部には、マゼンタ画像形成ユニット１Ｍ、シアン画像形成ユニット１Ｃ、イエロー画像形成ユニット１Ｙ及びブラック画像形成ユニット１Ｋが一定の間隔でタンデムに配置されている。
【００２０】
上記各画像形成ユニット１Ｍ，１Ｃ，１Ｙ，１Ｋには、感光体である感光ドラム２ａ，２ｂ，２ｃ，２ｄがそれぞれ配置されており、各感光ドラム２ａ〜２ｄの周囲には、帯電器３ａ，３ｂ，３ｃ，３ｄ、現像装置４ａ，４ｂ，４ｃ，４ｄ、転写ローラ５ａ，５ｂ，５ｃ，５ｄ及びドラムクリーニング装置６ａ，６ｂ，６ｃ，６ｄがそれぞれ配置されている。
【００２１】
ここで、前記感光ドラム２ａ〜２ｄは、ドラム状の感光体であって、不図示の駆動モータによって図示矢印方向（時計方向）に所定のプロセススピードで回転駆動される。又、前記帯電器３ａ〜３ｄは、不図示の帯電バイアス電源から印加される帯電バイアスによって感光ドラム２ａ〜２ｄの表面を所定の電位に均一に帯電させるものである。
【００２２】
更に、前記現像装置４ａ〜４ｄは、マゼンタ（Ｍ）トナー、シアン（Ｃ）トナー、イエロー（Ｙ）トナー、ブラック（Ｋ）トナーをそれぞれ収容しており、各感光ドラム２ａ〜２ｄ上に形成された各静電潜像に各色のトナーを付着させて各静電潜像を各色のトナー像として可視像化するものである。
【００２３】
又、前記転写ローラ５ａ〜５ｄは、各一次転写部にて中間転写ベルト７を介して各感光ドラム２ａ〜２ｄに当接可能に配置されている。ここで、中間転写ベルト７は、駆動ローラ８とテンションローラ９との間に張設されて各感光ドラム２ａ〜２ｄの上面側に走行可能に配置されており、前記駆動ローラ８は、二次転写部において中間転写ベルト７を介して二次転写ローラ１０に当接可能に配置されている。又、テンションローラ９の近傍にはベルトクリーニング装置１１が設けられている。
【００２４】
ところで、プリンタ本体１００内の各画像形成ユニット１Ｍ，１Ｃ，１Ｙ，１Ｋの上方には、前記各現像装置４ａ〜４ｄにトナーを補給するためのトナーコンテナ１２ａ，１２ｂ，１２ｃ，１２ｄが一列に並設されている。
【００２５】
又、プリンタ本体１００内の各画像形成ユニット１Ｍ，１Ｃ，１Ｙ，１Ｋの下方には、２台の光走査装置１３が用紙搬送方向に並設され、これらの光走査装置１３の下方のプリンタ本体１００の底部には給紙カセット１４が着脱可能に設置されている。そして、給紙カセット１４には複数枚の不図示の用紙が積層収容されており、この給紙カセット１４の近傍には、該給紙カセット１４から用紙を取り出すピックアップローラ１５と、取り出された用紙を分離して搬送パスＳへと１枚ずつ送り出すフィードローラ１６とリタードローラ１７が設けられている。
【００２６】
又、プリンタ本体１００の側部を上下方向に延びる前記搬送パスＳには、用紙を搬送する搬送ローラ対１８と、用紙を一時待機させた後に所定のタイミングで前記二次転写対向ローラ８と二次転写ローラ１０との当接部である二次転写部へと供給するレジストローラ対１９が設けられている。尚、搬送パスＳの横には、用紙の両面に画像を形成する場合に使用される別の搬送パスＳ’が形成されており、この搬送パスＳ’には複数の反転ローラ対２０が適当な間隔で設けられている。
【００２７】
ところで、プリンタ本体１００内の一側部に縦方向に配置された前記搬送パスＳは、プリンタ本体１００の上面に設けられた排紙トレイ２１まで延びており、その途中には定着装置２２と排紙ローラ対２３，２４が設けられている。
【００２８】
次に、以上の構成を有するカラーレーザープリンタによる画像形成動作について説明する。
【００２９】
画像形成開始信号が発せられると、各画像形成ユニット１Ｍ，１Ｃ，１Ｙ，１Ｋにおいて各感光ドラム２ａ〜２ｄが図示矢印方向（時計方向）に所定のプロセススピードで回転駆動され、これらの感光ドラム２ａ〜２ｄは、帯電器３ａ〜３ｄによって一様に帯電される。又、各光走査装置１３は、各色毎のカラー画像信号によって変調された光ビームを出射し、その光ビームを各感光ドラム２ａ〜２ｄの表面に照射し、各感光ドラム２ａ〜２ｄ上に各色のカラー画像信号に対応した静電潜像をそれぞれ形成する。
【００３０】
そして、先ず、マゼンタ画像形成ユニット１Ｍの感光ドラム２ａ上に形成された静電潜像に、該感光ドラム２ａの帯電極性と同極性の現像バイアスが印加された現像装置４ａによってマゼンタトナーを付着させ、該静電潜像をマゼンタトナー像として可視像化する。このマゼンタトナー像は、感光ドラム２ａと転写ローラ５ａとの間の一次転写部（転写ニップ部）において、トナーと逆極性の一次転写バイアスが印加された転写ローラ５ａの作用によって、図示矢印方向に回転駆動されている中間転写ベルト７上に一次転写される。
【００３１】
上述のようにしてマゼンタトナー像が一次転写された中間転写ベルト７は、次のシアン画像形成ユニット１Ｃへと移動する。そして、シアン画像形成ユニット１Ｃにおいても、前記と同様にして、感光ドラム２ｂ上に形成されたシアントナー像が一次転写部において中間転写ベルト７上のマゼンタトナー像に重ねて転写される。
【００３２】
以下同様にして、中間転写ベルト７上に重畳転写されたマゼンタ及びシアントナー像の上に、イエロー及びブラック画像形成ユニット１Ｙ，１Ｋの各感光ドラム２ｃ，２ｄ上にそれぞれ形成されたイエロー及びブラックトナー像が各一次転写部において順次重ね合わせられ、中間転写ベルト７上にはフルカラーのトナー像が形成される。尚、中間転写ベルト７上に転写されないで各感光ドラム２ａ〜２ｄ上に残留する転写残トナーは、各ドラムクリーニング装置６ａ〜６ｄによって除去され、各感光ドラム２ａ〜２ｄは次の画像形成に備えられる。
【００３３】
そして、中間転写ベルト７上のフルカラートナー像の先端が駆動ローラ８と二次転写ローラ１０間の二次転写部（転写ニップ部）に達するタイミングに合わせて、給紙カセット１４からピックアップローラ１５とフィードローラ１６及びリタードローラ１７によって搬送パスＳへと送り出された用紙がレジストローラ対１９によって二次転写部へと搬送される。そして、二次転写部に搬送された用紙に、トナーと逆極性の二次転写バイアスが印加された二次転写ローラ１０によってフルカラーのトナー像が中間転写ベルト７から一括して二次転写される。
【００３４】
而して、フルカラーのトナー像が転写された用紙は、定着装置２２へと搬送され、フルカラーのトナー像が加熱及び加圧されて用紙の表面に熱定着され、トナー像が定着された用紙は、排紙ローラ対２３，２４によって排紙トレイ２１上に排出されて一連の画像形成動作が完了する。尚、用紙上に転写されないで中間転写ベルト７上に残留する転写残トナーは、前記ベルトクリーニング装置１１によって除去され、中間転写ベルト７は次の画像形成に備えられる。
【００３５】
［光走査装置］
＜第１発明＞
次に、第１発明に係る前記光走査装置１３の基本構成と作用を図２及び図３に基づいて説明する。尚、図２は第１発明に係る光走査装置１台の内部構造を示す平面図、図３は図２のＡ−Ａ線断面図である。尚、図１に示すカラーレーザープリンタに備えられた２台の光走査装置１３の基本構成は同じであるため、以下、１台の光走査装置１３についてのみ図示及び説明する。
【００３６】
光走査装置１３は、樹脂にて一体成形されたハウジング２５を有しており、該ハウジング２５は、図３に示すように、その内部を上下に区画する水平な基盤２５Ａとその周囲を囲む枠状の側壁２５Ｂとで側断面Ｈ型に形成されている。そして、ハウジング２５の基盤２５Ａの上面中心部には偏向器であるポリゴンミラー２６が配置されており、ハウジング２５内の基盤２５Ａによって区画される上下の空間には前記ポリゴンミラー２６を中心としてこれの両側に２つの走査光学系３０，４０が対称に配置されている。
【００３７】
上記走査光学系３０，４０は、ハウジング２５内の基板２５Ａの上面に配された光源であるレーザーダイオード３１，４１を備えている。尚、各レーザーダイオード３１，４１には不図示のコリメータレンズが組み込まれている。
【００３８】
而して、各レーザーダイオード３１，４１から出射される光ビームＬは、不図示のコリメータレンズによって線状の光束に集光された後、所定の速度で回転駆動されるポリゴンミラー２６に対して対称な２方向から入射する。そして、ポリゴンミラー２６に入射した各光ビームＬは、ポリゴンミラー２６によって偏向されるが、各走査光学系３０，４０は、基盤２５Ａの上面側に光ビームＬの進行方向に沿って配された第１結像レンズ３２，４２と第２結像レンズ３３，４３及び第１折り返しミラー３４，４４と、基盤３４Ａの下面側に光ビームＬの進行方向に沿って配された第２折り返しミラー３５，３５と第３折り返しミラー３６，４６をそれぞれ備えている。
【００３９】
ところで、図２及び図３に示す１台の光走査装置１３は、図１に示すマゼンタ画像形成ユニット１Ｍの感光ドラム２ａとシアン画像形成ユニット１Ｃの感光ドラム２ｂを露光走査するものであって、各走査光学系３０，４０を構成する第３折り返しミラー３６，４６と感光ドラム２ａ，２ｂを結ぶ光路上であって且つ第１結像レンズ３２，４２と第２結像レンズ３３，４３の間には第１の開口部２５ａがそれぞれ形成され、基板２５Ａの第１折り返しミラー３４，４４と第２折り返しミラー３５，４５を結ぶ光路上には第２の開口部２５ｂがそれぞれ形成されている。
【００４０】
他方、図２に示すように、各走査光学系３０，４０には、ポリゴンミラー２６が配された基盤２５Ａ上の第２結像レンズ３３，４３の横であって、ポリゴンミラー２６を中心とする点対称位置には同期検知器（ＢＤセンサ）３７，４７がそれぞれ配置されている。これらの同期検知器３７，４７は、各感光ドラム２ａ，２ｂの光ビームＬによる有効走査範囲外に配置されており、同期検知用の光ビームＬ’を検知することによって光ビームＬによる感光ドラム２ａ，２ｂ上への露光走査（書き出し）開始タイミングが決定される。
【００４１】
又、各走査光学系３０，４０においては、基盤２５Ａの下面であって有効走査範囲外（ポリゴンミラー２６を中心とする点対称位置）には、同期検知用の光ビームＬ’を反射させて前記同期検知器３７，４７に導くための同期検知用ミラー３８，４８がそれぞれ配置されている。
【００４２】
而して、本実施の形態では、ポリゴンミラー２６から各同期検知用ミラー３８，４８に至る同期検知用光路の途中には第１折り返しミラー３４，４４と第２折り返しミラー３５，４５がそれぞれ配置されている。又、ポリゴンミラー２６から第１折り返しミラー３４，４４に至る同期検知用光路の途中には第１結像レンズ３２，４２と第２結像レンズ３３，４３がそれぞれ配置されている。
【００４３】
而して、１台の光走査装置１３において各走査光学系３０，４０にそれぞれ設けられたレーザーダイオード３１，４１から出射する光ビームＬは、不図示のコリメータレンズによって線状の光束に集光された後、所定の速度で回転駆動されるポリゴンミラー２６に対して対称な２方向から入射する。
【００４４】
上述のようにポリゴンミラー２６に入射した各光ビームＬは、ポリゴンミラー２６によって偏向された後、第１結像レンズ３２，４２と第２結像レンズ３３，４３を通過することによって等速走査光Ｌに変換される。そして、この等速走査光Ｌは、第１折り返しミラー４２，４４によって下方に向かって直角に折り返され、基盤２５Ａに形成された第２の開口部２５ｂを通過して第２折り返しミラー３５，４５に至り、該第２折り返しミラー３５，４５によって直角に折り返されて基板２５Ａの下面に沿って水平に進行する。その後、光ビームＬは、第３折り返しミラー３６，４６によって直角上方に折り返され、基板２５Ａに形成された第１の開口部２５ａを通過して感光ドラム２ａ，２ｂに向かい、これらの感光ドラム２ａ，２ｂをそれぞれ露光走査する。
【００４５】
図２及び図３に示す１台の光走査装置１３は、図１に示すマゼンタ画像形成ユニット１Ｍの感光ドラム２ａとシアン画像形成ユニット１Ｃの感光ドラム２ｂをそれぞれ露光走査するものであるが、図１に示すカラーレーザープリンタには同様の光走査装置１３が２台並設されており、これら２台の光走査装置１３によって他のイエロー画像形成ユニット１Ｙ及びブララック画像形成ユニット１Ｋの各感光ドラム２ｃ，２ｄを含む４つの感光ドラム２ａ〜２ｄの全てが光ビームＬによって露光走査される。
【００４６】
又、ポリゴンミラー２６によって偏向された同期検知用の光ビームＬ’は、第１結像レンズ３２，４２と第２結像レンズ３３，４３を通過することによって絞られた後、第１折り返しミラー３４，４４によって直角下方へと折り返され、基盤２５Ａに形成された第２の開口部２５ｂを通過して第２折り返しミラー３５，４５に至り、該第２折り返しミラー３５，４５によって直角に折り返され、基板２５Ａの下面に沿って水平に進行して同期検知用ミラー３８，４８に至る。その後、光ビームＬ’は、同期検知用ミラー３８，４８で反射して第２折り返しミラー３５，４５に至り、該第２折り返しミラーで３５，４５再び反射して直角上方に折り返され、基盤２５Ａに形成された第２の開口部２５ｂを通過して再び第１折り返しミラー３４，４４に至る。
【００４７】
そして、光ビームＬ’は、第１折り返しミラー３４，４４によって直角に折り返されて基盤２５Ａの上面に沿って平行に進んで同期感知器３７，４７に導かれ、該同期検知器３７，４７によって検知され、これによって前述のように光ビームＬによる感光ドラム２ａ，２ｂ上への露光走査（書き出し）開始タイミングが決定される。ここで、本実施の形態では、図３に示すようにポリゴンミラー２６から同期検知器３７，４７に至る同期検知用光路の長さをポリゴンミラー２６から感光ドラム２ａ，２ｂに至る走査用光路の長さに略等しく設定している。
【００４８】
ところで、走査光学系３０，４０にそれぞれ設けられた第１結像レンズ３２，４２と第２結像レンズ３３，４３は接着剤によってハウジング２５にそれぞれ接着固定されるが、以下、第２結像レンズ３３（以下、単に「結像レンズ」と称する）の固定構造を図４及び図５に基づいて説明ずる。
【００４９】
図４は図２のＢ部拡大詳細図、図５は図４のＣ−Ｃ線断面図である。尚、図４及び図５は結像レンズ３３の主走査方向一端部（図２の左端部）の固定構造についてのみ示すが、主走査方向他端部（図２の右端部）の固定構造は同じであるため、これについての図示及び説明は省略する。
【００５０】
結像レンズ３３は、吸湿等による経時変化の少ない環状オレフィン樹脂等によって構成され、所定の走査幅をカバーするために主走査方向（図２の左右方向）に長い平面視円弧状（弓形）の形状を有している。そして、この結像レンズ３３の主走査方向両端部（図２の左右両端部）には平行を成して図２の左右方向に延びる固定部３３Ａがそれぞれ形成されている。
【００５１】
又、図５に示すように、ハウジング２５にはレンズ支持部２５Ｃが形成されており、該レンズ支持部２５Ｃの上面は水平で平坦な支持面（接着面）２５ｃを構成している。尚、ハウジング２５の材質には被着性の高いポリカＡＢＳ等が使用されている。
【００５２】
而して、本実施の形態では、図５に示すように、結像レンズ３３の下面である接着面３３ａには断面三角（山形）状の複数の凹部３３ｂが主走査方向（図５の左右方向）に適当な間隔で形成されており、これらの凹部３３ｂによって結像レンズの３３の接着面３３ａは鋸刃状を成している。
【００５３】
そして、結像レンズ３３は、その主走査方向両端部の固定部３３Ａの下面である接着面３３ａをハウジング２５のレンズ支持部２５Ｃの支持面２５ｃ上に載置し、両者間に介在する接着剤５０によって両者を接着することによって、その主走査方向両端部がハウジング２５のレンズ支持部２５Ｃ上に接着固定される。尚、接着剤５０としては硬化性樹脂等が使用される。
【００５４】
ところで、ポリカＡＢＳ等から成るハウジング２５と環状オレフィン樹脂等から成る結層レンズ３３の各線膨張係数は同一ではないため、環境温度が接着時温度から変化した場合に結像レンズ３３とハウジング２５のレンズ支持部２５Ｃとの接着部の結像レンズ３３側に図５に実線矢印にて示す剪断力ｆ１，ｆ２が発生し、ハウジング２５のレンズ支持部２５Ｃ側に図５に破線矢印にて示す逆方向の剪断力ｆ１’，ｆ２’が発生する。そして、これらの剪断力ｆ１，ｆ２とｆ１’，ｆ２’が接着部に繰り返し加えられると、特に被着性が低い環状オレフィン樹脂等から成る結像レンズ３３が剥がれる可能性がある。
【００５５】
然るに、本発明では、結像レンズ３３の主走査方向両端部の固定部３３Ａの接着面３３ａに複数の凹部３３ｂを主走査方向に沿って形成したため、結像レンズ３３の接着距離が離れることによって剪断応力の低減が図られるとともに、結像レンズ３３の接着面３３ａの接着面積が複数の凹部３３ｂによって拡大し、結像レンズ３３の主走査方向両端部がハウジング２５のレンズ支持部２５Ｃに強固に接着固定される。このため、接着部に繰り返し熱応力による剪断力ｆ１，ｆ２とｆ１’，ｆ２’が作用しても、結像レンズ３３をハウジング２５のレンズ支持部２５Ｃに安定的且つ確実に固定することができ、結像レンズ３３の剥がれを確実に防ぐことができる。
【００５６】
又、本発明では、結像レンズ３３の固定に板バネ等の部材を使用しないため、部品点数が削減されてコストダウンが図られるとともに、結像レンズ３３に歪み等が発生しないため、該結像レンズ３３に高い光学特性が確保され、図１に示すカラーレーザープリンタにおいて高質のカラー画像が安定的に得られる。
【００５７】
尚、本発明の実施の形態では、結像レンズ３３の各固定部３３Ａの接着面３３ａに三角状（山形状）の凹部３３ｂを形成したが、凹部３３ｂの形状は任意であって、波形の凹部３３ｂによって接着面３３ｃを正弦波状の凹凸面としても良い。
【００５８】
＜第２発明＞
次に、第２発明に係る光走査装置におけるレンズ固定構造を図６に基づいて以下に説明する。
【００５９】
図６は第２発明に係る光走査装置のレンズ固定構造を示す図５と同様の図であり、本図においては図５に示したものと同一要素には同一符号を付しており、以下、それらについての再度の説明は省略する。
【００６０】
本発明では、ハウジング２５のレンズ支持部２５の支持面２５ｃに非接着部として複数の凹部２５ｄを主走査方向（図６の左右方向）に適当な間隔で形成したことを特徴としている。このようにハウジング２５のレンズ支持部２５の支持面２５ｃに複数の凹部２５ｄを形成すると、接着剤５０は表面張力によって各凹部２５ｄ内には入り込まないため、レンズ支持部２５Ｃの支持面２５ｃの凹部２５ｄが形成された部分は結像レンズ３３の接着に寄与しない非接着部となり、支持面２５ｃの凹部２５ｄを除く部分が結像レンズ３３の接着に寄与することとなる。尚、接着剤５０の粘度と凹部２５ｄの大きさは、接着剤５０が表面張力によって凹部２５ｄ内に入り込まない程度に設定される。
【００６１】
以上のように、本発明では、ハウジング２５のレンズ支持部２５Ｃに非接着部として複数の凹部２５ｄを設けたため、レンズ支持部２５Ｃの支持面２５ｃには結像レンズ３３の接着面３３ａ側に発生する剪断力ｆ２に対する反力が発生せず、これによって接着部の剪断力が低減する。このため、結像レンズ３３とハウジング２５の線膨張係数差に起因して接着部に繰り返し熱応力が発生しても、結像レンズ３３がハウジング２５のレンズ支持部２５Ｃに安定的且つ確実に固定され、該結像レンズ３３の剥がれが防がれる。
【００６２】
そして、本発明においても、結像レンズ３３の固定に板バネ等の部材を使用しないため、部品点数が削減されてコストダウンが図られるとともに、結像レンズ３３に歪み等が発生しないため、該結像レンズ３３に高い光学特性が確保される。尚、ハウジング２５のレンズ支持部２５Ｃに非接着部として複数の凹部２５ｄを設けると、該レンズ支持部２５Ｃの支持面２５ｃの接着面積が減少するが、ハウジング２５の材質には被着性の高いポリカＡＢＳ等が使用されるため、結像レンズ３３のレンズ支持部２５Ｃへの接着強度が不足することはない。
【００６３】
＜第３発明＞
次に、第３発明に係る光走査装置におけるレンズ固定構造を図７に基づいて以下に説明する。
【００６４】
図７は第３発明に係る光走査装置のレンズ固定構造を示す図５と同様の図であり、本図においては図５及び図６に示したものと同一要素には同一符号を付しており、以下、それらについての再度の説明は省略する。
【００６５】
本発明は、前記第１発明と第２発明を組み合わせたものである。即ち、結像レンズ３３の接着面３３ａに断面三角（山形）状の複数の凹部３３ｂを主走査方向（図７の左右方向）に形成するとともに、ハウジング２５のレンズ支持部２５の支持面２５ｃに非接着部として複数の凹部２５ｄを形成している。
【００６６】
従って、本発明によれば、結像レンズ３３の接着距離が離れることによって剪断応力の低減が図られ、結像レンズ３３の接着面２２ａの接着面積が凹部３３ｂによって拡大して結像レンズ３３の接着強度が高められるとともに、ハウジング２５のレンズ支持部２５Ｃに形成された複数の凹部２５ｄのために接着部の剪断力が低減するため、結像レンズ３３とハウジング２５の線膨張係数差に起因して接着部に繰り返し熱応力が発生しても、結像レンズ３３がハウジング２５のレンズ支持部２５Ｃに安定的且つ確実に固定され、該結像レンズ３３の剥がれが防がれる。そして、本発明においても、結像レンズ３３の固定に板バネ等の部材を使用しないため、部品点数が削減されてコストダウンが図られるとともに、結像レンズ３３に歪み等が発生しないため、該結像レンズ３３に高い光学特性が確保される。
【００６７】
尚、以上説明した実施の形態では、結像レンズの下面である接着面をハウジングのレンズ支持部の水平な支持面に接着固定する構成を採用したが、結像レンズの側面とハウジングのレンズ支持部の垂直な支持面に接着する構成を採用しても良い。又、以上は本発明をカラーレーザープリンタ及びこれに備えられた光走査装置に対して適用した形態について説明したが、本発明は、カラープリンタ以外の他の任意の画像形成装置及びこれに備えられた光走査装置に対しても同様に適用可能であることは勿論である。
【符号の説明】
【００６８】
１Ｍ            マゼンタ画像形成ユニット
１Ｃ            シアン画像形成ユニット
１Ｙ            イエロー画像形成ユニット
１Ｋ            ブラック画像形成ユニット
２ａ〜２ｄ      感光ドラム（感光体）
３ａ〜３ｄ      帯電器
４ａ〜４ｄ      現像装置
５ａ〜５ｄ      転写ローラ
６ａ〜６ｄ      ドラムクリーニング装置
７              中間転写ベルト
８              駆動ローラ
９              テンションローラ
１０            ２次転写ローラ
１１            ベルトクリーニング装置
１２ａ〜１２ｄ  トナーコンテナ
１３            光走査装置
１４            給紙カセット
１５            ピックアップローラ
１６            フィードローラ
１７            リタードローラ
１８            搬送ローラ対
１９            レジストローラ対
２０            搬送ローラ対
２１            排紙トレイ
２２            定着装置
２３，２４      排紙ローラ対
２５            ハウジング
２５Ａ          ハウジングの基盤
２５Ｂ          ハウジングの側壁
２５Ｃ          ハウジングのレンズ支持部
２５ａ          ハウジングの第１の開口部
２５ｂ          ハウジングの第２の開口部
２５ｃ          レンズ支持部の支持面
２５ｄ          レンズ支持部の凹部（非接着部）
２６            ポリゴンミラー（偏向器）
３０，４０      走査光学系
３１，４１      レーザーダイオード（光源）
３２，４２      第１結像レンズ
３３，４３      第２結像レンズ
３３Ａ          結像レンズの固定部
３３ａ          結像レンズの固定部の接着面
３３ｂ          結像レンズの接着面の凹部
３４，４４      第１折り返しミラー
３５，４５      第２折り返しミラー
３６，４６      第３折り返しミラー
３７，４７      第３反射ミラー
３８，４８      同期検知器
３７，４７      同期検知用ミラー
５０            接着剤
Ｌ，Ｌ’        光ビーム
Ｓ，Ｓ’        搬送パス
【図１】
2012083406.tif 000003
【図２】
2012083406.tif 000004
【図３】
2012083406.tif 000005
【図４】
2012083406.tif 000006
【図５】
2012083406.tif 000007
【図６】
2012083406.tif 000008
【図７】
2012083406.tif 000009
【図８】
2012083406.tif 000010